(57)【要約】【課題】メモリ内の１つの記録領域に対して動画を繰り返し上書き録画することが可能な動画記録装置において、必要なデータが記録された記録領域を残しつつ、上書き録画に使用する所望の大きさの記録領域を確保することである。【解決手段】本発明に係る動画記録装置は、メモリ内の１つの記録領域に対して動画を繰り返し上書き録画することが可能であり、ユーザ操作に基づく選択指令に応じて、メモリ内の記録領域から１又は複数の記録領域を選択する選択手段と、選択手段によって選択された１又は複数の記録領域を１つの動画記録領域として、該動画記録領域に一連の動画を繰り返し上書き録画する上書き録画手段とを具える。【選択図】図１
2010050865.tif 000002
【特許請求の範囲】
【請求項１】
メモリ内の１つの記録領域に対して動画を繰り返し上書き録画することが可能な動画記録装置において、ユーザ操作に基づく選択指令に応じて、メモリ内の記録領域から１又は複数の記録領域を選択する選択手段と、前記選択手段によって選択された１又は複数の記録領域を１つの動画記録領域として、該動画記録領域に一連の動画を繰り返し上書き録画する上書き録画手段とを具えることを特徴とする、動画記録装置。
【請求項２】
前記メモリ内の未使用領域の有無を判定する判定手段を更に具え、
前記判定手段によって前記メモリ内に未使用領域が有ると判定された場合に、前記上書き録画手段は、ユーザ操作に基づく選択指令に応じて前記選択手段によって選択された１又は複数の記録領域と該未使用領域とを１つの動画記録領域として、該動画記録領域に一連の動画を繰り返し上書き録画する、請求項１に記載の動画記録装置。
【請求項３】
複数の記録領域が、ユーザ操作に基づく選択指令に応じて前記選択手段によって選択された場合に、ユーザ操作に基づく優先順位指令に応じて、該複数の記録領域に対して上書き記録が実行される優先順位を設定する優先順位設定手段を更に具え、
前記上書き記録手段は、前記複数の記録領域のうち優先順位の高いものから順に、一連の動画を上書き録画する、請求項１又は請求項２に記載の動画記録装置。
【発明の詳細な説明】
【技術分野】
【０００１】
本発明は、監視カメラやビデオカメラなどの動画記録装置に関し、特に動画をメモリに繰り返し上書き録画することが可能な動画記録装置に関する。
【背景技術】
【０００２】
従来から、監視カメラやビデオカメラなどの撮像装置は、撮影した動画をメモリに繰り返して上書き録画（リピート録画）することが可能であった（例えば、下掲の特許文献１参照）。具体的には該撮像装置は、撮影した動画をメモリの記録領域の先頭から順番に録画していき、記録領域の末尾に達すると再び記録領域の先頭に戻って動画を順番に上書き録画していく。
【０００３】
しかし、メモリのすべての記録領域が上書き録画用の記録領域として使用されてしまうと、静止画の記録や動画の通常録画（以下、これらを纏めて「通常記録」と称す。）に用いるための領域がなくなってしまう。そこで、上書き録画用の記録領域と通常記録用の記録領域との配分を、撮像装置の初期設定実行時に設定しておくことが考えられている。これにより、通常記録用の記録領域が確保される。
【特許文献１】特開２００５−１７５９９０号公報
【発明の開示】
【発明が解決しようとする課題】
【０００４】
しかし、従来の撮像装置においては、フォーマットなしに上書き録画用の記録領域と通常記録用の記録領域との配分を変更することは困難であった。このため、該配分を変更する場合には、メモリを一旦フォーマットした後に該配分を新たに設定する必要があり、不便であった。また、フォーマットを実行するとメモリ内のデータはすべて消去されてしまうため、消去せずに残しておきたいデータがある場合には、該データをフォーマット前に別の記録装置に移す必要があり、不便であった。
【０００５】
本発明の目的は、メモリ内の１つの記録領域に対して動画を繰り返し上書き録画することが可能な動画記録装置において、必要なデータが記録された記録領域を残しつつ、上書き録画に使用する所望の大きさの記録領域を確保することである。
【課題を解決するための手段】
【０００６】
本発明の第１態様に係る動画記録装置は、メモリ内の１つの記録領域に対して動画を繰り返し上書き録画することが可能であり、ユーザ操作に基づく選択指令に応じて、メモリ内の記録領域から１又は複数の記録領域を選択する選択手段と、前記選択手段によって選択された１又は複数の記録領域を１つの動画記録領域として、該動画記録領域に一連の動画を繰り返し上書き録画する上書き録画手段とを具える。
【０００７】
上記第１態様に係る動画記録装置によれば、ユーザ操作によって、メモリ内の記録領域から１又は複数の記録領域を選択するだけで、上書き録画に使用する所望の大きさの動画記録領域が確保される。また、動画記録領域として使用せずに残しておきたい記録領域がメモリ内に存在する場合には、ユーザ操作によって該記録領域以外の１または複数の記録領域を選択すればよいので、必要な記録領域はメモリ内に残ったままとなる。
【０００８】
本発明の第２態様に係る動画記録装置は、上記第１態様に係る動画記録装置であって、前記メモリ内の未使用領域の有無を判定する判定手段を更に具える。前記判定手段によって前記メモリ内に未使用領域が有ると判定された場合に、前記上書き録画手段は、ユーザ操作に基づく選択指令に応じて前記選択手段によって選択された１又は複数の記録領域と該未使用領域とを１つの動画記録領域として、該動画記録領域に一連の動画を繰り返し上書き録画する。
【０００９】
上記第２態様に係る動画記録装置によれば、未使用領域が使用されることにより、メモリ内のより広い領域が上書き録画用の動画記録領域として確保される。
【００１０】
本発明の第３態様に係る動画記録装置は、上記第１又は第２態様に係る動画記録装置であって、優先順位設定手段を更に具える。前記優先順位設定手段は、複数の記録領域が、ユーザ操作に基づく選択指令に応じて前記選択手段によって選択された場合に、ユーザ操作に基づく優先順位指令に応じて、該複数の記録領域に対して上書き記録が実行される優先順位を設定する。前記上書き記録手段は、前記複数の記録領域のうち優先順位の高いものから順に、一連の動画を上書き録画する。
【００１１】
上記第３態様に係る動画記録装置によれば、ユーザ操作によって止むを得ず上書き録画用の動画記録領域として選択された記録領域に対しては、優先順位を低く設定することにより、何らかの事情によって、選択された複数の記録領域のうち、一部の記録領域にだけ動画が上書き録画された場合には、優先順位の低い記録領域には元のデータが残ったままとなる。
【発明の効果】
【００１２】
本発明に係る動画記録装置によれば、必要なデータが記録された記録領域を残しつつ、上書き録画用の領域を容易に拡大することができる。
【発明を実施するための最良の形態】
【００１３】
以下、本発明を撮像装置に実施した形態につき、図面に沿って具体的に説明する。
【００１４】
１．撮像装置の構成
本発明の実施の形態に係る撮像装置は、例えば監視カメラやビデオカメラなどであって、図１に示される様に、制御部１、撮像センサ２、信号処理部３、操作部４、メモリ５、及び表示部６を具える。以下、各構成要素について具体的に説明する。
【００１５】
制御部１は、撮像センサ２に接続されていると共に、バス１１を介して信号処理部３、メモリ５、及び表示部６にも接続されており、内部メモリ（図示せず）に格納されているプログラム及び操作部４から入力される指令に従って、撮像センサ１、信号処理部２、メモリ５、及び表示部６を制御する。
【００１６】
撮像センサ２は、フォトダイオードを用いて光を電気信号に変換するＣＣＤ（Charge  Coupled  Device）センサやＣＭＯＳ（Complementary  Metal  Oxide  Semiconductor）センサなどであって、撮像装置で撮影された光学像をフォトダイオードによって光電変換し、該光電変換によって生じた電荷の量を電気信号（アナログ画像信号）に変換して出力する。
【００１７】
信号処理部３は、ＣＤＳ／ＡＧＣ回路、Ａ／Ｄ変換回路および信号処理回路（図示せず）を有する。ＣＤＳ／ＡＧＣ回路は、撮像センサ２から出力されるアナログ画像信号のノイズを取り除く。Ａ／Ｄ変換回路は、ＣＤＳ／ＡＧＣ回路から出力されるアナログ画像信号を、デジタル信号（デジタル画像信号）に変換する。信号処理回路は、デジタル画像信号に基づいて、三原色を表す色信号（Ｒ，Ｇ，Ｂ信号）を画素ごとに生成し、該色信号を輝度信号（Ｙ信号）及び２つの色差信号（Ｕ、Ｖ信号）に変換する。輝度信号及び色差信号に変換されたデジタル画像信号は、メモリ５にファイル（以下、「画像ファイル」という）として記録される。
【００１８】
操作部４には、撮影モードの切替スイッチ及び撮影実行ボタン（図示せず）が設けられている。撮影モードには、メモリ５内の１つの記録領域に対して動画を繰り返し上書き録画するモード（リピート録画モード）、上書きせずに動画を録画するモード（通常録画モード）、静止画を撮影するモード（静止画撮影モード）が設定されている。
【００１９】
メモリ５には、図２に例示される様に、リピート録画モードで録画された動画の画像ファイル（リピート録画ファイル）Ｆ１、通常録画モードで録画された動画の画像ファイル（動画ファイル）Ｆ２〜Ｆ４、及び静止画撮影モードで撮影された静止画の画像ファイル（静止画ファイル）Ｆ５，Ｆ６が記録される。
【００２０】
表示部６は、信号処理部３から出力されたデジタル画像信号、或いはメモリ５に画像ファイルＦ１〜Ｆ６として記録されているデジタル画像信号を、画面に映し出すことができる。表示部１３には、例えば液晶パネルが採用される。
【００２１】
以下では、上述した撮像装置において実行される制御、特に操作部４において撮影モードがリピート録画モードに設定されているときの制御について説明する。
【００２２】
２．撮像装置の制御
リピート録画モードにおける撮像装置の制御は、リピート録画用の動画記録領域を設定するための制御（領域設定制御）と、リピート録画を実行するための制御（リピート録画制御）から構成されている。以下、それぞれの制御について詳細に説明する。
【００２３】
＜領域設定制御＞
領域設定制御は、図３に示される様に、ステップＳ１１〜Ｓ１９から構成されている。領域設定制御が開始されると、まずステップＳ１１において、メモリ５内の記録領域Ｒのうち既存の画像ファイルによって占められた１又は複数の記録領域を、リピート録画用の動画記録領域として使用するか否かの判断が、表示部６を通してユーザに要求される。具体的には図４に示される様に、表示部６の画面に、既存の画像ファイルを使用するかどうかを決めるための画像が表示される。該画像には、選択項目「使用する」及び「使用しない」が含まれている。そして、ユーザが、表示部６の画面を見ながら操作部４を操作すること（以下、「ユーザ操作」という）によって、選択項目「使用する」及び「使用しない」のいずれか一方が選択される。これにより、既存の画像ファイルを使用するか否かの指令が、操作部４を通して制御部１に与えられる。
【００２４】
ユーザ操作によって項目「使用する」が選択され、既存の画像ファイルを使用するという指令が制御部１に与えられた場合には、制御部１は、領域設定制御をステップＳ１１からステップＳ１２に移行させる。他方、ユーザ操作によって項目「使用しない」が選択され、既存の画像ファイルを使用しないという指令が制御部１に与えられた場合には、制御部１は、領域設定制御をステップＳ１１からステップＳ１６に移行させる。尚、ユーザ操作によって項目「使用しない」が選択される場合として、既存の画像ファイルがあるにも拘らず、ユーザの意志によって該画像ファイルを選択しない場合と、リピート録画用の動画記録領域として使用できる画像ファイルが、メモリ５内に存在しない場合とが考えられる。
【００２５】
ステップＳ１２では、リピート録画に使用する画像ファイルが、ユーザ操作によって、既存の画像ファイルから選択される。具体的には図５に示される様に、メモリ５に記録されている画像ファイルＦ１〜Ｆ６が、サムネイル表示によって表示部６の画面に列挙される。そして、ユーザ操作によって、サムネイル表示された画像ファイルＦ１〜Ｆ６から１つの画像ファイルが選択される。図５では、画像ファイルＦ１が選択された場合が示されている。これにより、どの画像ファイルが選択されたのかを示す指令（選択指令）が制御部１に与えられる。該選択指令に応じて制御部１は、選択された画像ファイルによって占められている記録領域を選択する。尚、このような選択指令に応じた記録領域の選択は、制御部１を構成する選択手段によって実行される。ステップＳ１２の実行後、制御部１は、領域設定制御をステップＳ１３に移行させる。
【００２６】
ステップＳ１３では、ステップＳ１２で選択された画像ファイルの上書きが禁止されていないかどうかが、制御部１によって判断される。具体的には図６に示される様に、画像ファイルＦ１〜Ｆ６には、付加情報として上書き情報Ａが予め付与されており、上書きが許可されている画像ファイルの上書き情報Ａには「０」が与えられ、上書きが禁止されている画像ファイルの上書き情報Ａには「１」が与えられている。尚、画像ファイル毎の上書き情報Ａの設定は、ユーザ操作によって行われる。
【００２７】
そしてステップＳ１３では、ステップＳ１２で選択された画像ファイルの上書き情報Ａが、「０」又は「１」のいずれに設定されているかが、制御部１によって判断される。ステップＳ１３において、上書き情報Ａが「０」に設定されていると制御部１が判断した場合には、制御部１は、領域設定制御をステップＳ１３からステップＳ１５に移行させる。具体的には、ステップＳ１２において画像ファイルＦ１，Ｆ２，Ｆ４，Ｆ５が選択された場合には、これらの上書き情報Ａには図６に示される様に「０」が与えられているので、制御部１は、領域設定制御をステップＳ１５に移行させる。
【００２８】
他方、ステップＳ１３において、上書き情報Ａが「１」に設定されていると制御部１が判断した場合には、制御部１は、領域設定制御をステップＳ１３からステップＳ１４に移行させる。ステップＳ１４では、ステップＳ１２で実行した画像ファイルの選択が、制御部１によって解除される。具体的には、ステップＳ１２において画像ファイルＦ３，Ｆ６が選択された場合には、これらの上書き情報Ａには図６に示される様に「１」が与えられているので、ステップＳ１５において、画像ファイルの選択が制御部１によって解除される。ステップＳ１４の実行後、制御部１は、領域設定制御をステップＳ１５に移行させる。
【００２９】
ステップＳ１５では、画像ファイルの選択を終了する指令（選択終了指令）が制御部１に与えられた否かが、制御部１によって判断される。ステップＳ１５において、選択終了指令が制御部１に与えられたと制御部１が判断した場合には、制御部１は、領域設定制御をステップＳ１５からステップＳ１６に移行させる。他方、ステップＳ１５において、選択終了指令が制御部５に与えられていないと制御部１が判断した場合には、領域設定制御を再びステップＳ１２に戻す。そして、ステップＳ１５において選択終了指令が制御部１に与えられたと制御部１が判断するまで、ステップＳ１２〜Ｓ１４が繰り返し実行される。
【００３０】
具体的には図５に示される様に、画像ファイルＦ１〜Ｆ６がサムネイル表示された画像には、「選択終了」ボタンが含まれている。ユーザ操作によって、画像ファイルＦ１〜Ｆ６から１又は複数の画像ファイルが選択され、画像ファイルの選択が終了した時点で「選択終了」ボタンが押される。これにより、選択終了指令が操作部４を通して制御部１に与えられる。選択終了指令を受けた制御部１は、領域設定制御をステップＳ１５からステップＳ１６に移行させる。尚、図７では、画像ファイルＦ１〜Ｆ６のうち画像ファイルＦ１，Ｆ２，Ｆ４が選択され、「選択終了」ボタンが押された画像が示されている。
【００３１】
ステップＳ１６では、ステップＳ１２で選択された画像ファイルについて、リピート録画による書き込みが実行される優先順位が設定される。具体的には図８に示される様に、表示部６の画面にステップＳ１２で選択した画像ファイルＦ１，Ｆ２，Ｆ４がサムネイル表示される。そして、ユーザ操作によって、画像ファイルが優先順位の高いものから順に選択されていくことにより、優先順位の情報を含んだ指令（優先順位指令）が制御部１に与えられる。制御部１は、優先順位指令に応じて、画像ファイルの優先順位を設定する。図８では、設定された優先順位が、ファイル名Ｆ１，Ｆ２，Ｆ４にカッコ書きで併記されている。尚、このような優先順位指令に応じた画像ファイルの優先順位の設定は、制御部１を構成する優先順位設定手段によって実行される。
【００３２】
そして、全ての画像ファイルの優先順位の設定が終了した時点で、ユーザ操作によって「終了」ボタンが押される。これにより、優先順位の設定が終了され、制御部１は、領域設定制御をステップＳ１６からステップＳ１７に移行させる。尚、ステップＳ１６では、ステップＳ１２での画像ファイルの選択順が、そのまま優先順位とされてもよい。
【００３３】
ステップＳ１７では、メモリ５内の記録領域のうち未使用領域ＲＮを、リピート録画用の動画記録領域として使用するか否かの判断が、表示部６を通してユーザに対して要求される。具体的には図９に示される様に、表示部６の画面に、未使用領域ＲＮを使用するかどうかを設定するための画像が表示される。該画像には、選択項目「使用する」及び「使用しない」が含まれている。そして、ユーザ操作によって、選択項目「使用する」及び「使用しない」のいずれか一方が選択される。これにより、未使用領域ＲＮを使用するか否かの指令が、操作部４を通して制御部１に与えられる。
【００３４】
ユーザ操作によって項目「使用する」が選択され、未使用領域ＲＮを使用するという指令が制御部１に与えられた場合には、制御部１は、領域設定制御をステップＳ１７からステップＳ１８に移行させる。ステップＳ１８では、制御部１によって、未使用領域使用情報Ｂに「１」が与えられる。他方、ユーザ操作によって項目「使用しない」が選択され、未使用領域ＲＮを使用しないという指令が制御部１に与えられた場合には、制御部１は、領域設定制御をステップＳ１７からステップＳ１９に移行させる。ステップＳ１９では、制御部１によって、未使用領域使用情報Ｂに「０」が与えられる。ステップＳ１８，Ｓ１９の実行が完了すると、領域設定制御は終了する。
【００３５】
＜リピート録画制御＞
リピート録画制御は、図１０に示される様に、ステップＳ２１〜Ｓ３２から構成されている。リピート録画制御は、ユーザ操作によって操作部４の撮影実行ボタンが押されることにより開始される。リピート録画制御が開始されると、まずステップＳ２１において、リピート録画に使用するための画像ファイルとして、ユーザ操作によって選択された画像ファイルが有るかどうかが、制御部１によって判断される。
【００３６】
ステップＳ２１において、選択された画像ファイルが有ると制御部１が判断した場合には、制御部１は、リピート録画制御をステップＳ２１からステップＳ２２に移行させる。ステップＳ２２では、未使用領域使用情報Ｂが「０」又は「１」のいずれに設定されているかが、制御部１によって判断される。ステップＳ２２において、未使用領域使用情報Ｂが「１」に設定されていると制御部１が判断した場合には、制御部１は、リピート録画制御をステップＳ２３に移行させる。
【００３７】
ステップＳ２３では、メモリ５内の記録領域に未使用領域ＲＮが有るかどうかが、制御部１を構成する判定手段によって判定される。ステップＳ２３において、未使用領域ＲＮが有ると判定手段が判定した場合には、制御部１は、リピート録画制御をステップＳ２３からステップＳ２６に移行させる。ステップＳ２６では、選択されている画像ファイル及び未使用領域ＲＮが１つの動画記録領域とされ、該動画記録領域に対して一連の動画がリピート録画される。選択されている画像ファイルに優先順位が設定されている場合には、優先順位の高い画像ファイルから順にリピート録画が実行される。尚、動画記録領域へのリピート録画は、制御部１を構成する上書き録画手段からの指令により、信号処理回路３から出力されるデジタル画像信号が、動画記録領域に上書きされることによって行われる。
【００３８】
具体的には、画像ファイルＦ１，Ｆ２，Ｆ４が選択されている場合には、図１１に示される様に、メモリ５内の記録領域のうち、画像ファイルＦ１，Ｆ２，Ｆ４によって占められた記録領域Ｒ１，Ｒ２，Ｒ４及び未使用領域ＲＮが、１つの動画記録領域とされる。そして、画像ファイルＦ１，Ｆ４，Ｆ２の順に優先順位が設定されている場合には、記録領域Ｒ１，Ｒ４，Ｒ２及び未使用領域ＲＮの順に、一連の動画がリピート録画される。
【００３９】
そして、ステップＳ２６におけるリピート録画は、ステップＳ２７においてリピート録画の停止指令が制御部１に与えられるまで実行される。停止指令は、例えばユーザ操作によってリピート録画中に操作部４の撮影実行ボタンが押されることにより、制御部１に与えられる。
【００４０】
他方、ステップＳ２３において、未使用領域ＲＮが無いと制御部１の判定手段が判断した場合には、制御部１は、リピート録画制御をステップＳ２３からステップＳ２４に移行させる。また、ステップＳ２２において、未使用領域使用情報Ｂが「０」に設定されていると制御部１が判断した場合には、制御部１は、リピート録画制御をステップＳ２２からステップＳ２４に移行させる。
【００４１】
ステップＳ２４では、選択されている画像ファイルが１つの動画記録領域とされ、制御部１の上書き録画手段からの指令によって、該動画記録領域に対して一連の動画がリピート録画される。選択されている画像ファイルに優先順位が設定されている場合には、優先順位の高い画像ファイルから順にリピート録画が実行される。ステップＳ２４におけるリピート録画は、ステップＳ２５においてリピート録画の停止指令が制御部１に与えられるまで実行される。
【００４２】
ステップＳ２１において、選択された画像ファイルが無いと制御部１が判断した場合には、制御部１は、リピート録画制御をステップＳ２１からステップＳ２８に移行させる。ステップＳ２８では、未使用領域使用情報Ｂが「０」又は「１」のいずれに設定されているかが、制御部１によって判断される。ステップＳ２２において、未使用領域使用情報Ｂが「１」に設定されていると制御部１が判断した場合には、制御部１は、リピート録画制御をステップＳ２２からステップＳ２９に移行させる。ステップＳ２９では、メモリ５内の記録領域に未使用領域が有るかどうかが、制御部１を構成する判定手段によって判断される。ステップＳ２９において、未使用領域が有ると判定手段が判断した場合には、制御部１は、リピート録画制御をステップＳ２９からステップＳ３１に移行させる。ステップＳ３１では、未使用領域ＲＮが１つの動画記録領域とされ、制御部１の上書き録画手段からの指令によって、該動画記録領域に対して一連の動画がリピート録画される。
【００４３】
他方、ステップＳ２９において、未使用領域ＲＮが無いと制御部１の判定手段が判断した場合には、制御部１は、リピート録画制御をステップＳ２９からステップＳ３０に移行させる。また、ステップＳ２８において、未使用領域使用情報Ｂが「０」に設定されていると制御部１が判断した場合には、制御部１は、リピート録画制御をステップＳ２８からステップＳ３０に移行させる。ステップＳ３０では、リピート録画制御の実行が不可能であると制御部１によって判断され、リピート録画制御は終了する。
【００４４】
３．効果
上述した撮像装置によれば、ユーザ操作によって、メモリ５内に記録されている既存の画像ファイル（記録領域）から１又は複数の画像ファイルを選択するだけで、リピート録画に使用する所望の大きさの動画記録領域が確保される。
【００４５】
また、動画記録領域として使用せずに残しておきたい画像ファイル（記録領域）がメモリ５内に存在する場合には、ユーザ操作によって該画像ファイル以外の１または複数の画像ファイルを選択、或いは該画像ファイルの上書き情報Ａを「１」（禁止）に設定すればよいので、必要な記録領域はメモリ５内に残ったままとなる。
【００４６】
しかも、上述した撮像装置の様に、未使用領域ＲＮを使用することにより、メモリ５内のより広い領域がリピート録画用の動画記録領域として確保される。
【００４７】
更には、上述した撮像装置の様に、選択した画像ファイルに対して優先順位を設定することにより、次のような効果が得られる。すなわち、ユーザ操作によって止むを得ず上書き録画用の動画記録領域として選択された画像ファイル（記録領域）に対しては、優先順位を低く設定しておくことにより、何らかの事情によって、例えば上書き録画を実行する時間が短かったという事情によって、選択された画像ファイルが占める記録領域のうち、一部の画像ファイルが占める記録領域にだけ動画が上書き録画された場合には、優先順位の低い画像ファイルには元のデータが残ったままとなる。
【００４８】
４．変形例
＜変形例１＞
上述した撮像装置のリピート録画制御では、ユーザ操作によって操作部４の撮影実行ボタンが押されることにより、選択されている画像ファイルへの一連の動画のリピート録画が開始されるが、次のような形態でリピート録画が開始されるようにしてもよい。すなわち、選択されている画像ファイルがユーザ操作によって一旦再生され、再生中にユーザ操作によって撮影実行ボタンが押されることにより、該選択されている画像ファイルに対して一連の動画がリピート録画されるようにしてもよい。
【００４９】
＜変形例２＞
上述した撮像装置において、リピート録画用の動画記録領域にリピート録画された動画ファイルは、メモリ５からの消去が可能であることが好ましい。動画ファイルを消去することによって、リピート録画用の動画記録領域が未使用領域ＲＮとなり、リピート録画用の動画記録領域の変更が可能となるからである。尚、リピート録画された動画ファイルのメモリ５からの消去を実行する前に、ユーザに対して、消去を実行してもよいかどうかの確認が表示部６を通して行われる。これにより、動画ファイルが誤って消去されてしまうことが防止される。
【００５０】
尚、本発明の各部構成は上記実施の形態に限らず、特許請求の範囲に記載の技術的範囲内で種々の変形が可能である。例えば、上述した技術は、監視カメラやビデオカメラなどの撮像装置だけでなく、記録装置を備えたテレビジョン受像機など、種々の動画記録装置に適用することができる。
【図面の簡単な説明】
【００５１】
【図１】本発明の実施の形態に係る撮像装置の構成を示したブロック図である。
【図２】メモリ内の記録領域を示した図である。
【図３】撮像装置の制御のうち領域設定制御を示したフローチャートである。
【図４】画像ファイルを使用するかどうかを決めるための画像を示した図である。
【図５】画像ファイルを選択するための画像を示した図である。
【図６】画像ファイルと上書き情報Ａとの関係を示した図表である。
【図７】複数の画像ファイルが選択された画像を示した図である。
【図８】画像ファイルの優先順位を設定するための画像を示した図である。
【図９】未使用領域を使用するかどうかを設定するための画像を示した図である。
【図１０】撮像装置の制御のうちリピート録画制御を示したフローチャートである。
【図１１】メモリ内のリピート録画用の動画記録領域を示した図である。
【符号の説明】
【００５２】
１  制御部
２  撮像センサ
３  信号処理部
４  操作部
５  メモリ
６  表示部
Ｒ１〜Ｒ６  記録領域
ＲＮ  未使用領域
Ａ  上書き情報
Ｂ  未使用領域使用情報
【図１】
2010050865.tif 000003
【図２】
2010050865.tif 000004
【図３】
2010050865.tif 000005
【図４】
2010050865.tif 000006
【図５】
2010050865.tif 000007
【図６】
2010050865.tif 000008
【図７】
2010050865.tif 000009
【図８】
2010050865.tif 000010
【図９】
2010050865.tif 000011
【図１０】
2010050865.tif 000012
【図１１】
2010050865.tif 000013